(57)【要約】【課題】重量物である太陽電池パネルの複数枚を収容する梱包体において、高い作業効率で梱包作業を行うことができながら、外的衝撃に対して高い安全性を確保することができる太陽電池パネル用梱包材を開示する。【解決手段】太陽電池パネル用梱包材１は、ともに発泡樹脂の一体成形品である箱形容器１０と蓋部材２０のみからなる。箱形容器１０の対向する２つの側壁１２ａ，１２ｂは、太陽電池パネルＰの側端面を支持する支持溝１５を形成するための複数本の互いに平行な凸条１４を上下方向に有しており、容器底面１１ａには凸条を備えた各側壁に沿うようにして空隙１６，１６が形成されている。また、蓋部材２０の天面２１ａにも、蓋をしたときに箱形容器１０の前記凸条を備えた側壁１２ａ，１２ｂに沿う領域に、やはり空隙２６，２６が形成されている。【選択図】図２
2011037469.tif 000002
【特許請求の範囲】
【請求項１】
発泡樹脂の一体成形品である箱形容器と前記箱形容器の開口部を閉鎖する発泡樹脂製の蓋部材とを備え、
前記箱形容器の対向する２つの側壁は太陽電池パネルの側端面を支持する支持溝を形成するための複数本の互いに平行な凸条を上下方向に有し、容器底部には前記凸条を備えた各側壁に沿う領域に空隙が形成されており、さらに、
前記蓋部材の天面には、蓋をしたときに箱形容器の前記凸条を備えた各側壁に沿う領域に空隙が形成されていることを特徴とする太陽電池パネル用梱包材。
【請求項２】
請求項１に記載の太陽電池パネル用梱包材であって、前記箱形容器の容器底部に敷くための緩衝性を備えたシートをさらに備えることを特徴とする太陽電池パネル用梱包材。
【請求項３】
請求項１または２に記載の太陽電池パネル用梱包材であって、前記箱形容器を支持するパレットをさらに備えることを特徴とする太陽電池パネル用梱包材。
【発明の詳細な説明】
【技術分野】
【０００１】
本発明は、太陽電池パネルを梱包し搬送するための梱包材に関する。
【背景技術】
【０００２】
近年、環境への関心が高まるとともに、光エネルギーを電気エネルギーに変換する太陽電池に対する需要が高まり、太陽電池セルモジュールに枠構造や端子箱を取付けた太陽電池パネルが、広く流通するようになっている。その一方で、太陽電池パネルは、概して大型かつ重量物であり、流通時等に荷崩れ等によって損傷を受け易いことから、複数枚の太陽電池パネルを安全に輸送できるようにした太陽電池パネル用梱包材が求められており、いくつかの提案がすでにされている。
【０００３】
特許文献１には、筒状をなす本体部と、この本体部の底部開口を閉塞する底板と、上部開口を閉じる蓋体とから構成された発泡樹脂製のパネル搬送ボックスが記載されており、そこにおいて、前記筒体は一対の長辺側側板と一対の短辺側側板とから構成されるとともに、一対の短辺側側板の内側には、パネルを保持するための保持溝が上下方向に形成されている。
【０００４】
特許文献２には、ダンボール、硬質プラスチック、軽金属等で作られる外装箱と、その中に収容する保持部材からなる太陽電池パネル等用の梱包ケースが記載されており、そこにおいて、外装箱内には、太陽電池パネル等を複数個重ねた状態で太陽電池パネル等の側面を挟持する溝が設けられた対の保持部材が対向配置される。保持部材は、軟質ウレタンフォームで形成されている。
【先行技術文献】
【特許文献】
【０００５】
【特許文献１】特開２００３−２９２０８７号公報
【特許文献２】特開２００７−２１０６４１号公報
【発明の開示】
【発明が解決しようとする課題】
【０００６】
特許文献１あるいは特許文献２に記載のように、従来の太陽電池パネル用梱包体は、分解可能な多くのパーツから形成されているのが多い。この形態の梱包材は、梱包材として使用していないときに保管スペースを小さくできる等の利点がある一方、使用時には多くのパーツを組み立てる作業が必要となる。また、多数のパーツを過不足なく管理する作業も必要となる。さらに、太陽電池パネルを収容した梱包体が搬送時等に分解したりしないように、各パーツの組付けを確実にすること、梱包体をさらに所要の強度を持つ外層ケースで再梱包すること、ベルト等で全体をしっかりと締め付けること、等の安全対策も必要となる。そのために、高い作業効率を達成することが困難であった。
【０００７】
本発明は、上記のような事情に鑑みてなされたものであり、高い作業効率で梱包作業を行うことができながら、外的衝撃に対して高い安全性を確保することができる太陽電池パネル用梱包材を提供することを課題とする。
【課題を解決するための手段】
【０００８】
本発明による太陽電池パネル用梱包材は、発泡樹脂の一体成形品である箱形容器と前記箱形容器の開口部を閉鎖する発泡樹脂製の蓋部材とを備え、前記箱形容器の対向する２つの側壁は太陽電池パネルの側端面を支持する支持溝を形成するための複数本の互いに平行な凸条を上下方向に有し、容器底部には前記凸条を備えた各側壁に沿う領域に空隙が形成されており、さらに、前記蓋部材の天面には、蓋をしたときに箱形容器の前記凸条を備えた各側壁に沿う領域に空隙が形成されていることを特徴とする。
【０００９】
上記の太陽電池パネル用梱包材は、ともに発泡樹脂の一体成形品である箱形容器と蓋部材の２パーツのみ構成されており、パーツの管理はきわめて容易である。また、太陽電池パネルの梱包に当たっては、すでに一体に成形されている箱形容器内に、そこに形成されている支持溝を案内として、必要枚数の太陽電池パネルを上方から落とし込み、その後、箱形容器の開口部を蓋部材で閉鎖するだけでよく、その作業はきわめて容易であって、高い作業効率が得られる。
【００１０】
さらに、本発明による太陽電池パネル用梱包材では、容器底部における前記凸条を備えた各側壁に沿う領域に空隙が形成されており、また、蓋部材の天面における、蓋をしたときに箱形容器の前記凸条を備えた各側壁に沿う領域にも空隙が形成されている。この空隙の存在により、梱包材落下時の衝撃が収容した太陽電池パネル用梱包材の角部に直接作用するのを緩和することができるので、梱包した太陽電池パネルの角部に損傷が生じるのを効果的に回避することができる。それにより、高い安全性を備えた太陽電池パネルの梱包体が得られる。
【００１１】
本発明による太陽電池パネル用梱包材の一態様において、太陽電池パネル用梱包材は、前記箱形容器の容器底部に敷くための緩衝性を備えたシートをさらに備えるようにしてもよい。この態様では、収容した太陽電池パネルの重量によって箱形容器の底部に損傷が生じるのを回避することができ、梱包材の繰り返しの使用が可能となる。緩衝性を備えたシートは任意であるが、例えば、段ボール、発泡樹脂シート、非発泡樹脂シートなどを例示できる。
【００１２】
本発明による太陽電池パネル用梱包材のさらに他の態様では、前記箱形容器を支持するパレットをさらに備える。この態様では、パレット上に太陽電池パネルを収容し蓋をした箱形容器を載置し、バンド等で一体に締め付けることで、輸送時や保管時での梱包体の取り扱いを容易かつ安定化することができる。
【００１３】
なお、太陽電池パネルは、ガラス基板等と比較して肉厚であり、傷が付き難く、また、削れ粉の発生に対する対策も必要としない。そのために、本発明による太陽電池パネル用梱包材のように、ともに発泡樹脂の一体成形品である箱形容器と蓋部のみからなる梱包材であっても、太陽電池パネル用の梱包材として支障なく用いることができる。また、収容した太陽電池パネルの上下の縁部分に対して、ＥＰＥ等のクッション材を別途配置することも不要であり、箱形容器の底部および蓋部材の天面部は、格別の支持溝を有しないフラットな面のままであって差し支えない。もちろん、箱形容器の底部および蓋部材の天面部に、箱形容器の側壁に形成した支持溝と対応するようにして、複数本の凸条からなる支持溝を形成するようにしてもよい。
【００１４】
本発明による箱形容器と蓋部材とは、好ましくは型内発泡成形によって一体成形される。樹脂材料には、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。発泡体の倍率は、梱包しようとする太陽電池パネルの重量等を勘案して適宜設定すればよいが、緩衝性がよく、軽量で経済的である点から、好ましくは２０〜４０倍程度である。
【発明の効果】
【００１５】
本発明によれば、高い作業効率で梱包作業を行うことができながら、外的衝撃に対して高い安全性を確保することができる太陽電池パネル用梱包材が得られる。
【図面の簡単な説明】
【００１６】
【図１】本発明による太陽電池パネル用梱包材の一形態を分解して示す斜視図。
【図２】図１に示す太陽電池パネル用梱包材の断面図。
【図３】本発明による太陽電池パネル用梱包材の他の形態の要部を示す断面図。
【発明を実施するための形態】
【００１７】
以下、本発明による太陽電池パネル用梱包材を実施の形態に基づき説明する。
図１および図２は、本発明による太陽電池パネル用梱包材１の一実施の形態を示している。太陽電池パネル用梱包材１は、ともに発泡樹脂製である、箱形容器１０と蓋部材２０とで構成される。限定されないが、この例において、箱形容器１０と蓋部材２０は、ともにポリスチレンとポリエチレンを含む複合樹脂からなる発泡性樹脂粒子を型内発泡成形したものであり、密度は、０．０５〜０．０２５ｇ／ｃｍ３程度である。
【００１８】
箱形容器１０は、底板１１と４周の側壁１２とで構成され、全体として立方体形状である。側壁の上縁側は内側が凸となる段部１３となっている。４つの側壁１２における一対の対向する側壁１２ａと側壁１２ｂの内面側には、複数本の互いに平行な凸条１４が上下方向に向けて形成されており、隣接する２つの凸条１４、１４の間に、太陽電池パネルＰの側端面を支持する複数個の支持溝１５が形成される。前記凸条１４の間隔、すなわち支持溝１５の幅は、収容しようとする太陽電池パネルＰの厚さ、および、１つの支持溝１５内に何枚の太陽電池パネルＰを挿入するか、などを考慮して適宜設定する。
【００１９】
図２に示すように、箱形容器１０の底板１１の内側面１１ａは平坦面であり、前記凸条１４が形成された各側壁１２ａ，１２ｂに沿う領域には、側壁に沿うようにして空隙１６，１６が形成されている。各空隙１６の外側縁１６ａは、各側壁１２の内側面と面一な垂直面となっており、各空隙１６の内側縁１６ｂは、前記外側縁１６ａから１ｃｍ程度内側に寄った位置となっている。また、各空隙１６の深さは、１ｃｍ程度であればよい。
【００２０】
蓋部材２０は、天板２１と、箱形容器１０の４つの側壁１２と対向して位置する４つの側壁２２とからなる。４つの側壁２２の上端側は前記天板２１に連続しており、側壁２２の下縁側は外側が凸となる段部２３となっている。天板２１の内側面、すなわち天面２１ａは平坦面となっている。また、前記天面２１ａにおける、蓋をしたときに、箱形容器１０の凸条１４が形成された側壁１２ａ，１２ｂに対向することとなる側壁２２ａ，２２ｂに沿う領域に、側壁２２ａ，２２ｂに沿うようにして空隙２６，２６が形成されている。
【００２１】
前記した空隙１６と同様に、前記各空隙２６の外側縁２６ａは、各側壁２６の内側面と面一な垂直面となっており、各空隙２６の内側縁２６ｂは、前記外側縁２６ａから１ｃｍ程度内側に寄った位置となっている。また、各空隙２６の深さは、１ｃｍ程度であればよい。なお、図２に示す例では、側壁２６の内側面は、箱形容器１０の側壁１２の内側面よりも外側に位置している。このようにすることにより、後記するように、衝撃により太陽電池パネルＰの上側の角部が損傷するのをより確実に回避することができるが、双方の内側面は面一であってもよい。
【００２２】
図２において、３０は木製あるいは樹脂製のパレットであり、太陽電池パネルＰを収容した梱包体を載せて移動したり保管するのに用いられる。
【００２３】
次に、太陽電池パネルＰを梱包するときの手順の一例を説明する。最初に、パレット３０の上に箱形容器１０を置く。適宜の手段により、１枚あるいは複数枚の太陽電池パネルＰを立てた姿勢で持ち上げ、その側端面が、箱形容器１０に形成した前記凸条１４間に形成された支持溝１５内に入り込むようにして、上から落とし込む。それにより、各太陽電池パネルＰは、下端縁が箱形容器１０の底板１１の内側面１１ａに乗り、両側端面が支持溝１５に支持された姿勢で、箱形容器１０内に安定した姿勢で収容される。その姿勢で、各太陽電池パネルＰの下側の角部およびその近傍は、箱形容器１０の底板１１の内側面１１ａにおける側壁１２ａ，１２ｂの内面に沿う位置に空隙１６，１６が形成されていることにより、容器底板１１には接していない。
【００２４】
次に、蓋部材２０を箱形容器１０の開口部に被せる。その状態が図２に示される。図２に示すように、蓋をした状態で、箱形容器１０の側壁１２の上縁側に形成した段部１３と、蓋部材２０の側壁２２の下縁側に形成した段部２３とが、嵌め合い状態となっており、蓋部材２０は安定した状態で箱形容器１０に取り付けられる。なお、図２に示すように、蓋部材２０を箱形容器１０に取り付けたときに、蓋部材２０の前記天面２１ａが、収容した太陽電池パネルＰの上端縁に接するかわずかに離れた位置となるように前記蓋部材２０の諸寸法を設定する。
【００２５】
その後、必要な場合には、蓋をした梱包体に対して、図示しないバンドをパレット３０の開口３１を通しながら掛け渡しかつ締め付けることで、梱包作業は終了し、その状態で、輸送や保管に供される。
【００２６】
上記のように、本発明による太陽電池パネル用梱包材１は、ともに発泡樹脂の一体成形品である箱形容器１０と蓋部材２０の２パーツのみ構成されており、太陽電池パネルＰを梱包するときの作業はきわめて容易であって、高い作業効率が得られる。さらに、梱包材における、収容された太陽電池パネルＰの角部が位置することとなる部位、すなわち４つの偶部領域には、前記したように空隙１６，１６と空隙２６，２６の存在しており、万が一、梱包体が落下したときに、落下による衝撃が太陽電池パネルＰの角部に直接作用するのを緩和することができる。それにより、梱包した太陽電池パネルＰの角部に損傷が生じるのを効果的に回避することができる。
【００２７】
図３は、本発明による太陽電池パネル用梱包材の他の形態であり、箱形容器１０の部分のみを示している。この太陽電池パネル用梱包材は、前記箱形容器１０の容器底部１１に敷くための緩衝性を備えたシート４０をさらに備える点で、図２に示した太陽電池パネル用梱包材１と相違する。他の構成は太陽電池パネル用梱包材１と同じであり、同じ符号を付して説明は省略する。
【００２８】
緩衝性を備えたシート４０は、例えば、段ボール、発泡樹脂シート、非発泡樹脂シートなどの材料で作ることができる。緩衝性を備えたシート４０を備えることにより、収容した太陽電池パネルＰの重量によって箱形容器１０の底部１１に損傷が生じるのを回避することができ、梱包材の繰り返しの使用が可能となる。
【符号の説明】
【００２９】
Ｐ…太陽電池パネル、
１…太陽電池パネル用梱包材、
１０…箱形容器、
１１…箱形容器の底板、
１２…箱形容器の４周の側壁、
１４…複数本の互いに平行な凸条、
１５…太陽電池パネルの側端面を支持する支持溝、
１６…箱形容器に形成された空隙、
２０…蓋部材、
２１…蓋部材の天板、
２２…蓋部材の４つの側壁、
２６…蓋部材に形成された空隙、
３０…木製あるいは樹脂製のパレット、
４０…緩衝性を備えたシート。
【図１】
2011037469.tif 000003
【図２】
2011037469.tif 000004
【図３】
2011037469.tif 000005